【事件の表示】
　平成１０年特許願第　７０９９５号「携帯情報機器」拒絶査定に対する審判事件［平成１１年１０月　８日出願公開、特開平１１−２７２４５５］について、次のとおり審決する。
【結　論】
　本件審判の請求は、成り立たない。
【理　由】
第１．経緯
　本件出願に係る経緯は次のとおりである。
( 1).　出願　　　　　　　　　　　：平成10年 3月19日
( 2).　拒絶理由通知書（起案日）　：平成11年 5月27日
( 3).　意見書（提出日）　　　　　：平成11年 8月 2日
( 4).　手続補正書（提出日）　　　：平成11年 8月 2日
( 5).　拒絶査定（起案日）　　　　：平成11年10月12日
( 6).　審判請求書（提出日）　　　：平成11年11月18日
( 7).　手続補正書（提出日）　　　：平成11年12月20日
　
第２　平成11年12月20日付の手続補正についての補正却下
［補正却下についての結論］
　平成11年12月20日付の手続補正を却下する。
　
［理由］
１．本件発明
　本件発明は、平成11年12月20日付で補正された明細書及び図面の記載からみて、本件明細書の特許請求の範囲の請求項１に記載の、次のとおりのもの（以下、本件補正発明という。）と認める。
　
「中央処理装置（ＣＰＵ）、固定メモリ（ＲＯＭ）、ランダム・アクセス・メモリ（ＲＡＭ）、入力装置、および液晶表示装置（ＬＣＤ）で構成される腕時計型の携帯情報機器において、
前記ＲＡＭまたはＲＯＭには、アプリケーションプログラムを含む、ディレクトリー構造のファイルが格納され、
  前記ＲＡＭまたはＲＯＭのファイル構造をディレクトリ構造として表示するファイル表示手段と、該表示手段によって表示された複数のファイルから特定のファイルを選択するファイル選択手段と、該ファイル選択手段によって選択されたファイルに関連付けられたアプリケーションプログラムを起動する起動手段とを有するファイラープログラムが前記ＲＯＭに格納され、
　該携帯情報機器の起動時には、前記ファイラープログラムを優先して起動し、
第一のアプリケーションプログラムが実行中においては、前記入力装置を構成するキーの内の所定のキーを押すことにより、前記ファイラープログラムを起動するとともに、
　前記第一のアプリケーションプログラムが実行中である場合、前記起動手段は、前記第一のアプリケーションプログラムを終了させ、続いて前記ファイル選択手段によって選択されたファイルに関連付けられた第二のアプリケーションプログラムを起動するように構成したことを特徴とする携帯情報機器。」
　
２．新規事項の追加の有無
　前記１．の本件明細書の特許請求の範囲の請求項１の
「該携帯情報機器の起動時には、前記ファイラープログラムを優先して起動し、
第一のアプリケーションプログラムが実行中においては、前記入力装置を構成するキーの内の所定のキーを押すことにより、前記ファイラープログラムを起動するとともに、
　前記第一のアプリケーションプログラムが実行中である場合、前記起動手段は、前記第一のアプリケーションプログラムを終了させ、続いて前記ファイル選択手段によって選択されたファイルに関連付けられた第二のアプリケーションプログラムを起動するように構成した」
に記載された事項は、
　１）　第一のアプリケーションプログラムが実行中においては、前記入力装置を構成するキーの内の所定のキーを押すことにより、前記ファイラープログラムを起動すると同時に、前記第一のアプリケーションプログラムを終了させること、
  ２）　第一のアプリケーションプログラムが実行中においては、前記入力装置を構成するキーの内の所定のキーを押すことにより、前記ファイラープログラムを起動した直後に、前記第一のアプリケーションプログラムを終了させること、
を含むものであるが、本件の願書に最初に添付した明細書又は図面には、前記１）または２）のような事項は記載されていない。
　したがって、平成11年12月20日付の手続補正は、願書に最初に添付した明細書又は図面に記載した事項の範囲内においてしたものであるとは認められず、特許法第17条の２第3項に規定する要件を満たしていない。
　よって、平成11年12月20日付の手続補正は、特許法第159条第1項の規定により準用される特許法第53条第1項の規定により、却下されるべきものである。
　
３．訂正の目的の適否
　仮に、前記２．のとおりに却下すべきものでないものとして検討する。
　平成11年12月20日付の手続補正は、特許請求の範囲の請求項１に、
「第一のアプリケーションプログラムが実行中においては、前記入力装置を構成するキーの内の所定のキーを押すことにより、前記ファイラープログラムを起動するとともに、
　前記第一のアプリケーションプログラムが実行中である場合、前記起動手段は、前記第一のアプリケーションプログラムを終了させ、続いて前記ファイル選択手段によって選択されたファイルに関連付けられた第二のアプリケーションプログラムを起動する」
との事項を付加するものであるが、記載の事項のうち、
「第一のアプリケーションプログラムが実行中においては、前記入力装置を構成するキーの内の所定のキーを押すことにより、前記ファイラープログラムを起動する」
との事項は、請求項に記載した発明を特定するために必要な事項を限定（限定的減縮）するものではない。
　さらに、前記手続補正は、請求項を削除、誤記の訂正、明りょうでない記載の釈明でもないから、前記手続補正は、特許法第17条の2第4項第1号ないし第4号のいずれを目的とするものでもない。
　したがって前記手続補正は、特許法第17条の2第4項の規定を満たしておらず、特許法第159条第1項の規定により準用される特許法第53条第1項の規定により、却下されるべきものである。
　
４．独立特許要件
　仮に、平成11年12月20日付の手続補正が、特許請求の範囲の減縮（第三十六条第五項の規定により請求項に記載した発明を特定するために必要な事項を限定するものであつて、その補正前の当該請求項に記載された発明とその補正後の当該請求項に記載される発明の産業上の利用分野及び解決しようとする課題が同一であるものに限る。）に当たるものであるとして、以下、Ａ．，Ｂ．において、本件補正発明が、特許出願の際独立して特許を受けることができるものであるか（特許法第17条の2第5項において準用する同法第126条第4項の規定に適合するか）について検討する。
　
Ａ．進歩性についての判断
Ａ−１．刊行物
（１）刊行物１
　平成11年 5月27日付で通知した拒絶理由において、引用文献１として示した、 本件特許出願前に国内において頒布された刊行物である、
　LOAD TEST The Smal Computer Club 第６回 HP200LXの本格仕様, 月刊　アスキー,  1995年4月号, 株式会社　アスキー, Vol.19, No.4, p.560-563（以下、刊行物１という。）
には、参照される図面とともに、次の記載がある。
　
ａ．「いうまでもないが，HP200LXは，AppleのNewtonやシャープのZaurusのように100％独自アーキテクチャのPDAではなく，IBM PCアーキテクチャをベースに強力なPIMをROMで搭載したMS-DOSマシンである．リセットをすると，ROMディスク，あるいはフラッシュメモリカードなどから，CONFIG.SYSやAUTOEXEC.BATを読み込んで，各種デバイスドライバや常駐プログラムをシステムにロードする．そしてAUTOEXEC.BATの最後で，システムマネージャと呼ばれるPIMが起動される．」（第560頁右欄第34行目〜第561頁左欄第1行目）
　
ｂ．「システムマネージャ起動直後は，画面１のような画面が表示される．これは単なるグラフィックスのファイルを表示しているだけあり，あとで自分の作成したグラフィックファイルを表示するように変更することもできる．さて，ここで本体の［＆．．．］と描かれた緑色のキーを押すと，PIMで内蔵しているアプリケーションがアイコンで画面にずらっと表示される．ここからカーソルキーで選択，Enterキーの入力のお決まりの手順で各アプリケーションを起動することができる．また，アイコンのタイトル文字列でアンダーバーが引かれた文字を直接タイプしてもよい（画面２）．」（第561頁左欄第2行目〜第15行目）
　
ｃ．「HP200LXの凄いところは，メモリがある限り，他のPIMアプリを実行中にも，別のPIMアプリを起動できてしまうところである（アプリ間のカット＆ペーストもＯＫ）．
起動中のPIMアプリはアイコンの下のタイトル文字が反転で表示される．起動の仕方は［＆…］を押して再びアイコン一覧を表示させても選択・実行してもよいし，スケジューラや電話帳，Lotusl-2-3など７種類のアプリについては専用の緑色の起動キーが用意されている（写真１）．またそれ以外のアプリもCtrlと緑色のキーの組み合わせでワンタッチで起動できる．
　システムマネージャから起動できるプログラムは標準付属のPIMに加えて，拡張子が．ＥＸＭのHP95/100/200LX専用の実行ファイルや，通常のDOSプログラムもアイコン登録してワンタッチで起動ができる．ものすごく画期的なのは，システムマネージャからDOSプログラムを実行したときでも，DOSアプリから別のシステムマネージャ上のPIMアプリにタスク切り替えができてしまうのだ．
　ただし，若干の制限があり，システムマネージャから起動できるDOSアプリは同時にはただひとつだけとなる（つまり複数のDOSアプリの同時起動は不可）．」（第561頁左欄第18行目〜同頁右欄第2行目）」
　
ｄ．「メモリの残量は［＆．．．］で表示されるアイコン一覧の画面の左下に「nnn K Free/mmm K Total」のように表示される．私の環境だと，この「なんとか」は最大で３５０ｂｙｔｅｓ弱となる．たとえば日頃愛用しているファイル管理ソフトのFILMTNを起動し，そこからさらに書庫ファイル管理ソフトのLHMTNは、起動はできるが、さらにLHMTNからLHAなどを実行してLZHファイルを解凍しようとすると、メモリが足りないために失敗してしまう．結局，フリーソフトの解凍などは，いちどシステムマネージャを終了してから，通常のＤＯＳプロンプトから行うようにしている．」（第561頁右欄第13行目〜第16行目）（第561頁右欄第16行目〜第30行目）
  
ｅ．「前号では日本語化キットをインストールしたところで終わった。それだけでも付属のPIMを十分に堪能できるのであるが、NIFTY-Serveなどで配布されている膨大なフリーソフトを楽しむには、使いやすいDOS環境を構築しなければならない。というわけで、まずは自分の使っているPCからVZエディターとWX2+の辞書ファイル、その他にFILMTNやLHMTN、LHAといったユーティリティ類をHP200LXに持ってきて環境を構築することにした。」（第562頁中欄第5行目〜第15行目）
　
ｆ．「さて、WX2+の辞書ファイルを転送したのは、日本語化キット（フルセット版）についてくるWX2+Ver.2.71にはスモール版の辞書ファイルしか入っていないためである。スモール版の辞書は、サイズが400Kbytes弱とC:ドライブのRAMディスクにも十分に収まるのだが、私はラージ辞書の方に慣れており、スモール辞書の変換精度の低さでいちいちストレスを感じたくない。さすがにラージ辞書だとサイズが1.2MbytesほどあってRAMディスクに入りきれないので、A:ドライブのフラッシュパッカーの方にインストールすることにした。その変わりに、ユーザー辞書のほうをRAMディスクに入れて使おうと思った。」（第562頁右欄第5行目〜第19行目）
　
１）記載ａによると、刊行物１に記載されたHP200LXは、IBM PCアーキテクチャのMS-DOSマシンであり、少なくとも中央処理装置とROMを備えており、さらに記載ｆによると、ランダム・アクセス・メモリを備えているから、前記HP200LXは、中央処理装置（ＣＰＵ）、固定メモリ（ＲＯＭ）、ランダム・アクセス・メモリ（ＲＡＭ）で構成されるものである。
　
２）記載ａないしｆにおいて解説されたHP200LXが携帯情報機器であり、その表示装置が液晶表示装置であることは周知である。（例えば、手のひらサイズのPC互換機−HP200LX，月刊アスキー，1994年10月号，Vol.18, No.10, p.262　参照。）
　
３）記載ａにあるように、少なくとも、HP200LXのROMには、システムマネージャであるPIMが格納されている。また、同様に記載ａにあるように、HP200LXはMS-DOSマシンであるから、そのファイル構造はディレクトリ構造である。
　
４）記載ａによると、autoexec.batの最後でPIMが呼ばれ、優先して起動される。
　
５）記載ｄ及びｅによると、HP200LXのＲＡＭにはファイル管理ソフト、すなわち、ファイラーであるFILMTN，VZエディターが格納されている。また、記載ｂまたはｃによると、このFILMTNは、PIMの制御の下で、アイコンをカーソルキーで選択して、エンターで入力するか、専用の起動キーを押すことにより起動される。（上記VZエディターがファイラーとして機能することは、例えば下記刊行物３の第4章，下記刊行物４に記載のように、周知である。）
　
６）MS-DOSの周知のファイラーである、例えばFILMTN，VZが、ファイル構造をディレクトリ構造として表示し、表示された複数のファイルから、特定のファイルを選択し、当該選択されたファイルに関連づけられたアプリケーションプログラムを起動するものであることは周知である。（必要であれば、下記刊行物２，３参照）
　
　以上のとおりであるから、刊行物１には、次の発明が記載されている。
　　
　中央処理装置（ＣＰＵ）、固定メモリ（ＲＯＭ）、ランダム・アクセス・メモリ（ＲＡＭ）、入力装置、および液晶表示装置で構成されるIBM　PCアーキテクチャのMS-DOSマシンである携帯情報機器において、
　前記ＲＡＭまたはＲＯＭには、アプリケーションプログラムを含む、ディレクトリー構造のファイルが格納され、
　前記ＲＡＭまたはＲＯＭのファイル構造をディレクトリ構造として表示するファイル表示手段と、該表示手段によって表示された複数のファイルから特定のファイルを選択するファイル選択手段と、該ファイル選択手段によって選択されたファイルに関連付けられたアプリケーションプログラムを起動する起動手段とを有するファイラープログラムが前記ＲＡＭに格納され、
　Autoexec.batにより優先して起動される、ROMに格納されたシステムマネージャの下で、システムマネージャによって表示されたアプリケーションのアイコンを選択し、または、専用の起動キーを押すことで、ファイラーであるFILMTNを含むアプリケーションを起動可能とした携帯情報機器。
　
（２）刊行物２
　平成11年 5月27日付で通知した拒絶理由において、引用文献３として示した、 本件特許出願前に国内において頒布された刊行物である、
　フリーソフトウエア作成のすすめ, C MAGAZINE, 1992年10月号，pp.63-71(以下、刊行物２という。)
には、参照される図面とともに、次の記載がある。
　
ａ．「フリーソフトウェア作成のすすめ
　市販ソフトウェアと異なり、フリーソフトウェアは作者とユーザのコミュニケーションによって完成度が高められていく。各作品に込められた作者のメッセージとはなにか。どのようなレスポンスをユーザに期待しているのか。本章では原著作者、改編・移植者からのメッセージを紹介する。」（第63頁上段第2行目〜第8行目）
　
ｂ．「ファイルメンテナンス
　「ＦＩＬＭＴＮ」
　原作著者：K.Ishida
　ファイルメンテナンスプログラム「ＦＩＬＭＴＮ Ver. 2.27」は一見「普通の」ファイル管理ツールに用に見えます。事実、ファイル一覧表示やディレクトリツリー表示、ファイルのコピー、移動、削除、リネーム、アトリビュート変更など必要な機能はすべて備えています。ＦＩＬＭＴＮの第一の特徴的な機能は、次のようなカレントファイルの拡張子により自動的にエディタそのほかを起動する「自動起動機能」にあります。
・ＣＯＭ，ＥＸＥ，ＡＲＪ，ＬＺＨ，ＡＲＣ，ＺＩＰ，ＢＤＦ，ＢＡＴ以外
　エディタを起動し編集に入ります。エディタは設定プログラムＦＭＣＵＳＴで変更できます。
・ＣＯＭ，ＥＸＥの場合
　そのプログラムを実行します。
・ＬＺＨ，ＡＲＣ，ＺＩＰ，ＡＲＪの場合
　それぞれＬＨＡ，ＰＫＵＮＰＡＫ，ＰＫＵＮＺＩＰ，ＡＲＪで圧縮ファイルのリストを表示しいます。もちろんこれらがどこかのパスに入っていることが前提です。
・ＢＤＦの場合
　差分ファイルリストを表示します。同様にＢＵＰＤＡＴＥをパスに入れておきます。
　以上の自動機能ほか、ターゲットファイルを決めてファイルの圧縮、回答、テキスト・バイナリ変換（ＩＳＨ，ＭＡＪ），ＣＯＭ，ＥＸＥファイルの圧縮（ＬＺＥＸＥ，ＣＯＭＴＯＥＸＥ，ＤＩＥＴ，ＰＫＬＩＴＥ），エディタの起動，ページャの起動がＦＩＬＭＴＮから行えます。」（第69頁中段第1行目〜第36行目）
　
　記載ｂの「カレントファイル」は、選択されたファイルを指すものであるから、前記記載ａ，ｂによると、刊行物２には、次の事項が記載されている。
　
　ファイル一覧表示、ディレクトリツリー表示を含む機能を備えた、ファイルメンテナンスプログラムであって、
　ファイルが選択されると、自身のプログラムから、選択されたファイルの拡張子に関連づけられたアプリケーションの起動を行うFILMTNプログラム。
　
（３）刊行物３
　 本件特許出願前に国内において頒布された刊行物である、
　北村隆志著，ソフトウェア活用ブックシリーズ　ＶＺ活用研究, （株）電波新聞社,  1993年1月30日発行, p.39-43, 135-156, 
には、参照される図面とともに、次の記載がある。
　
ａ．「ＭＳ−ＤＯＳのバッチ処理
　ＭＳ−ＤＯＳは１回の命令で実行できる命令数は１つです。ある処理を行うために数回の命令処理が必要になる場合、命令を１つ１つ実行するよりまとめて１回で実行できた方が手間も省けます。
　第１章「3.2　ＶＺ起動のバッチフィル」で詳しく解説しますが、ＶＺを起動させるのにディレクトリの変更が必要な場合、次の２回（２行）の入力操作が必要になります。
　CD A:\VZ　・・・VZの入っているディレクトリに変更
　VZ　　　　　・・・VZの起動
　１度や２度なら苦になりませんが、毎回この操作を繰り返すとなると面倒なものです。
　そこで、この数回の操作をもっと簡単に、しかも１回の記述で実行させようとするのが「バッチ処理」です。この処理内容を書き込むファイルを「バッチファイル」と読んでいます。
　バッチ処理の実行は、このバッチファイル名を書き込むことで行います。バッチファイルを表す印として拡張子にBATを使うことが決められているため、ファイル名の全部8文字は自由ですが、後部3文字（拡張子）は必ずBATにします。
　上記の2行の命令をKTM.BATというファイルにした場合、KTMと書けば、その内容が順次実行され、あたかもディレクトリ変更とVZ起動が1つの命令になったようになります。」（第39頁第2行〜22行）
　
ｂ．「2.1　バッチファイルの自動実行
　MS-DOSは起動直後にルート上のAUTOEXEC.BATファイルを探し、見つかればその内容を自動実行します。見つからなければ、日付と時間の入力を行い、コマンドの入力待ち状態に入ります。AUTOEXEC.BATが実行された場合、日付と時間の入力は省略されます。
　・・・省略・・・
　このAUTOEXEC.BATでMS-DOSの環境設定を行えば、そのつど設定する手間を省くことが出来ます。電源ONでアプリケーションが自動起動するのもこのAUTOEXEC.BATのしわざです。」（第41頁第1行〜第16行）
　
ｃ．「2.2　バッチ処理専用命令
　バッチファイルに書き込める命令は、MS-DOSのコマンドラインで記述できるすべてが対象になります。もちろんVZの起動もコマンドラインでVZと書き込むので、バッチファイル内に書き込むことができます。」（第42頁第1行〜第4行）
　
ｄ．「4.2　ファイラーの利用
　・・・省略・・・
　(1)　ファイラーの起動と終了
　起動方法は次の２つがあり、ファイル操作などで利用する場合は○1（審決注：○の中に数字を○と数字で代用。以下同様に代用する。）の方法を使います。○2はVZ起動時の編集ファイル指定が目的になります。
　　○1　編集ファイルを指定しないでVZを起動させたとき
　　○2　・・・省略・・・
　終了は、［ESC］キーを押します。」（第135頁第1行〜第16行）
　
　上記記載ａないしｄによると、刊行物３には、次の事項が記載されている。
　
　ファイラーとして機能するVZエディタの起動方法であって、
　AUTOEXEC.BATにVZエディタの起動コマンドを記述することで、いちいち起動コマンドを入力する手間をかけることなく、コンピュータの起動時にVZエディタを起動する方法。
　
（４）刊行物４
　 本件特許出願前に国内において頒布された刊行物である、
　岡部雄一著，ＡＴ互換ボードを用いたROMベース組み込み機器の製作，インターフェース，1993年11月号，ＣＱ出版発行，p.182-196
には、参照される図面とともに、次の記載がある。
　
ａ．「ＡＴ互換ボードが安価に入手できるようになり、これをＲＯＭベース・システムに活用したいことも多い。本記事では、ＡＴ互換ボードにMS-DOS ROMバージョンをインストールする手順を詳細に解説する。」(第182頁左欄第3行〜9行)
　
ｂ．「(3)メモリ・マップとシリコン・ディスク
　ターゲット・システムのデバイス・アサインを図２に、メモリ・マップを図３に示す。
　図に示すように、３種のシリコン・ディスクを搭載するが、以下のような機能の分担とした。
　○1ＲＯＭディスク（ドライブＥ：）
　デフォルトドライブとして設定するディスクで、
・デバイス・ドライバ組込用CONFPROC.SYS
・CONFIG.SYS
・アプリの自動起動を支持するAUTOEXEC.BAT
・日本語入出力に必要なデバイス・ドライバ
・フォント、辞書など、DOSシステムを保管するファイル類を格納する。
　
　○2ＦＬＡＳＨディスク（ドライブ：Ｇ）
　一括消去型のファイルを収めるディスクで、通常はＲＯＭファイルとしてアクセスする。本ドライブ上では、ユーティリティ・プログラムを利用して、全ファイル一括書き換えが可能な環境を設定し、定期メンテナンスが予測されるアプリケーション・プログラム類を格納すると想定している。筆者はエディタVZとファイル管理ツールFDを格納した。」（第183頁右欄第4行〜第184頁左欄第10行）
　
ｃ．「4.3　AUTOEXEC.BATファイルの作成
　組み込んだツール類が必要とする環境変数を整え、PATHを追加する。エディタを使用し、組み替えた後のAUTOEXEC.BATファイルの内容と比較されたい。
　エディタを組み込み編集を行うと、矢印キーの反応スピードがデフォルトのままでは遅く感じる。MODEコマンド行を追加し、キーのリピート・スピードを調整するようにした。
　筆者は、エディタ（VZ）を常駐させるコマンド行を追加、これにより、
・［Esc］キーによるエディタの起動。
・［Shift］+[Enter]キーによるファイラの起動
・カーソルの点滅
・DOS画面出力の参照
・コマンド・ヒストリの活用
などを利用可能とした。」（第190頁右欄第10行〜第28行）
　
　記載ｃによると、（FDの他に）VZもファイラープログラムであるから、記載ａ〜ｃによると、刊行物４には、次の事項が記載されている。
　
　ROMベースのMS-DOSシステムにおいて、ファイラープログラムをROMに格納し、起動時に優先して常駐させること。
　
Ａ−２．対比
　刊行物１に記載の発明のファイラープログラムFILMTNは、例えば刊行物２にも記載されるように、ファイル構造をディレクトリ構造として表示するファイル表示手段と、該表示手段によって表示された複数のファイルから特定のファイルを選択するファイル選択手段と、該ファイル選択手段によって選択されたファイルに関連付けられたアプリケーションプログラムを起動する起動手段とを有する、周知のファイラープログラムである。
　
　したがって、本件補正発明と刊行物１に記載の発明とを対比すると、次の点で一致し、相違する。
　
［一致点］
　中央処理装置（ＣＰＵ）、固定メモリ（ＲＯＭ）、ランダム・アクセス・メモリ（ＲＡＭ）、入力装置、および液晶表示装置（ＬＣＤ）で構成される携帯情報機器において、
　前記ＲＡＭまたはＲＯＭには、アプリケーションプログラムを含む、ディレクトリー構造のファイルが格納され、
　前記ＲＡＭまたはＲＯＭのファイル構造をディレクトリ構造として表示するファイル表示手段と、該表示手段によって表示された複数のファイルから特定のファイルを選択するファイル選択手段と、該ファイル選択手段によって選択されたファイルに関連付けられたアプリケーションプログラムを起動する起動手段とを有するファイラープログラムが格納された携帯情報機器。
　
［相違点］
（相違点１）
　本件補正発明は、腕時計型の携帯情報機器であるが、刊行物１に記載の発明は、携帯情報機器である点。
　
（相違点２）
　ファイラープログラムが、本件補正発明では、ＲＯＭに格納されているが、刊行物１に記載の発明では、ファイラープログラムであるFILMTNがＲＡＭに格納されている点。
　
（相違点３）
　ファイラープログラムを、本件補正発明では、優先して起動するが、刊行物１に記載の発明では、システムマネージャを優先して起動し、ファイラープログラムであるFILMTNを優先して起動していない点。
　
（相違点４）
　本件補正発明では、第一のアプリケーションプログラムが実行中においては、前記入力装置を構成するキーの内の所定のキーを押すことにより、前記ファイラープログラムを起動するとともに、前記第一のアプリケーションプログラムが実行中である場合、前記起動手段は、前記第一のアプリケーションプログラムを終了させ、続いて前記ファイル選択手段によって選択されたファイルに関連付けられた第二のアプリケーションプログラムを起動するが、
　刊行物１に記載の発明では、前記事項については、明示的に言及されていない点。
　
Ａ−３．相違点の検討
（相違点１について）
　腕時計型の携帯情報機器は周知であるから、相違点１は実質的な相違点ではない。
　
（相違点２について）
　例えば刊行物４に記載のように、使用が予想されるファイラー等のユーティリティ・プログラムをROM化することは周知の手法であるから、ファイラーをROMに格納することに困難性はない。
　
（相違点３について）
　例えば刊行物３，４にも記載されているように、MS-DOSベースのコンピュータの利用者の間では、システムであるMS-DOSが起動した後に所望のアプリケーション・プログラム名を正確にタイプすること等が面倒であることから、システム起動時にファイラープログラムを優先して起動することが普通に行われていた。
　したがって、刊行物１に記載の発明において、優先的に起動されるプログラムとして、システムマネージャに代えて、周知のファイラープログラムであるFILMNT等を起動することは、当業者が困難性なく為し得ることである。
　
（相違点４について）
　さらに、刊行物１に記載の発明において、ファイラープログラムとして、システムマネージャに代えてFILMTNを起動した場合の処理の流れについて見ると、
　起動されたFILMTNからアプリケーションプログラムを起動して、その後、当該アプリケーションプログラムを終了する際に、終了キーとして、入力装置を構成するキーの内の所定のキーが押されると、当該アプリケーションプログラムは終了され、当該アプリケーションプログラムを起動したFILMTNが再び起動され、FILMTNから、再び、他のアプリケーションを選択し、起動し得る状態となる。
　そして、この処理は、相違点４の処理と実施的に同じ処理である。
　
　よって、刊行物１に記載の発明において、ファイラーとして、システムマネージャに代えてFILMNTを起動することに困難性はないし、起動されたFILMNTにおいて行われる処理は、前記相違点４の処理と実質的に同じ処理であるといえるから、相違点４は、格別のものとは認められない。
　
Ａ−４．まとめ
　以上のとおり、本件補正発明は、当業者が刊行物１に記載の発明および前記周知技術によって容易に発明をすることができたものであるから、本件補正発明は、特許法第29条第2項の規定により特許することができない。
　
Ｂ．特許法第36条第6項第1号に規定する要件について
　本件明細書の特許請求の範囲の請求項１の
「該携帯情報機器の起動時には、前記ファイラープログラムを優先して起動し、
第一のアプリケーションプログラムが実行中においては、前記入力装置を構成するキーの内の所定のキーを押すことにより、前記ファイラープログラムを起動するとともに、
　前記第一のアプリケーションプログラムが実行中である場合、前記起動手段は、前記第一のアプリケーションプログラムを終了させ、続いて前記ファイル選択手段によって選択されたファイルに関連付けられた第二のアプリケーションプログラムを起動するように構成した」
に記載された事項は、
　１）　第一のアプリケーションプログラムが実行中においては、前記入力装置を構成するキーの内の所定のキーを押すことにより、前記ファイラープログラムを起動すると同時に、前記第一のアプリケーションプログラムを終了させること、
  ２）　第一のアプリケーションプログラムが実行中においては、前記入力装置を構成するキーの内の所定のキーを押すことにより、前記ファイラープログラムを起動した直後に、前記第一のアプリケーションプログラムを終了させること、
を含むものであるが、本件明細書の発明の詳細な説明には、特許を受けようとする発明である前記１）または２）のような事項は記載されていない。
　したがって、本件明細書の特許請求の範囲の記載は、特許法第36条第6項第１号に規定する要件を満たしていない。
　
Ｃ．まとめ
　以上Ａ及びＢのとおりであるから、平成11年12月20日付の手続補正は特許法第17条の2第5項で準用する同様第126条第4項の規定に違反するものであり、特許法第159条第1項の規定により準用される特許法第53条第1項の規定により、却下されるべきものである。
　
４．むすび
　前記２．ないし３．で検討したとおり、いずれにしても、平成11年12月20日付の手続補正は、特許法第159条第1項の規定により準用される特許法第53条第1項の規定により却下されるべきものである。
　
第３　補正却下を踏まえた検討
１．本件発明
　平成11年12月20日付の手続補正は、上記のとおり却下されたので、本願の請求項１に係る発明（以下、本件発明という。）は、平成11年 8月 2日付手続補正書の特許請求の範囲の請求項１に記載された事項により特定される、以下のとおりのものである。
　
「　中央処理装置（ＣＰＵ）、固定メモリ（ＲＯＭ）、ランダム・アクセス・メモリ（ＲＡＭ）、入力装置、および液晶表示装置（ＬＣＤ）で構成される腕時計型の携帯情報機器において、
前記ＲＡＭまたはＲＯＭには、アプリケーションプログラムを含む、ディレクトリー構造のファイルが格納され、
　　前記ＲＡＭまたはＲＯＭのファイル構造をディレクトリ構造として表示するファイル表示手段と、該表示手段によって表示された複数のファイルから特定のファイルを選択するファイル選択手段と、該ファイル選択手段によって選択されたファイルに関連付けられたアプリケーションプログラムを起動する起動手段とを有するファイラープログラムが前記ＲＯＭに格納され、
　　該携帯情報機器の起動時には、前記ファイラープログラムを優先して起動するように構成したことを特徴とする携帯情報機器。」　　
　
２．刊行物
　刊行物、および、その記載事項は、前記第２のＡ−１に示したとおりである。
　
３．対比・判断
　本件発明は、前記第２の４．Ａで検討した本件補正発明から、「起動手段」の限定事項である「第一のアプリケーションプログラムが実行中においては、前記入力装置を構成するキーの内の所定のキーを押すことにより、前記ファイラープログラムを起動するとともに、前記第一のアプリケーションプログラムが実行中である場合、前記起動手段は、前記第一のアプリケーションプログラムを終了させ、続いて前記ファイル選択手段によって選択されたファイルに関連付けられた第二のアプリケーションプログラムを起動する」との構成を省いたものである。
　そうすると、本件発明の構成要件をすべて含み、さらに他の構成要素を付加したものに相当する前記第２の４．Ａで検討した本件補正発明が、前記第２の４．Ａに記載したとおり、当業者が刊行物１に記載の発明および周知技術によって容易に発明をすることができたものであるから、本件発明も、同様の理由により、当業者が容易に発明をすることができたものである。
　
４．むすび
　以上のとおり、本件発明は、当業者が刊行物１に記載の発明および周知技術に基づいて容易に発明をすることができたものであるから、特許法第29条第2項の規定により特許を受けることができない。
　よって、結論のとおり審決する。